【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
媒体のシートを受けるコンパイル表面であって、前記コンパイル表面は、第１の端部と、前記第１の端部の反対側の第２の端部を有し、前記コンパイル表面に供給される媒体のシートのセットの第１のシートは最下部シートを備える、コンパイル表面と、
前記コンパイル表面の前記第１の端部に配置されるレジストレーション表面であって、前記媒体のシートの先行エッジは前記レジストレーション表面と接触し、前記レジストレーション表面により整列される、レジストレーション表面と、
前記コンパイル表面の前記第２の端部に配置される回転可能カムであって、前記回転可能カムは、突出部を備え、前記突出部の表面は、前記コンパイル表面の摩擦係数の少なくとも２倍の摩擦係数を有する、回転可能カムと、
前記回転可能カムと接続される駆動装置と、
を備える装置であって、
前記回転可能カムを第１の回転位置に配置させる前記駆動装置により、前記突出部が、前記媒体のシートが前記コンパイル表面上に受けられる際、前記最下部シートと接触し、
前記回転可能カムを前記第２の回転位置に配置させる前記駆動装置により、前記媒体のシートが前記コンパイル表面から排出される際、前記突出器が、前記媒体のシートのいずれかと接触することを回避させる、
装置。
【請求項２】
前記媒体のシートを前記コンパイル表面に供給するシートフィーダをさらに備え、
前記シートフィーダは、前記コンパイル表面と関連して配置され、前記最下部シートが、前記回転可能カムが前記第１の回転位置にある場合、前記シートフィーダが前記最下部シートを前記コンパイル表面に供給する際、前記突出部との接触を回避させる、
請求項１に記載の装置。
【請求項３】
前記媒体のシートが前記コンパイル表面から排出される際、前記媒体のシートを受ける昇降プラットフォームをさらに備え、
前記最下部シートは、前記コンパイル表面から排出される前記媒体のシートより前に起こるシートスタック動作中、前記コンパイル表面および前記昇降プラットフォームと同時に接触し、および、
前記昇降プラットフォームは、前記コンパイル表面と関連して配置され、前記最下部シートが、前記シートスタック動作中、前記突出部と接触させる、
請求項１に記載の装置。
【請求項４】
前記コンパイル表面の前記第１の端部は第１の平面に配置され、
前記昇降プラットフォームは、前記第１の平面と平行な第２の平面に配置され、
前記第１の平面は前記第２の平面と同一平面上になく、前記第１の平面は相対的に前記第２の平面の上にあり、
前記コンパイル表面の前記第２の端部は、前記第１の平面から前記第２の平面へ向かう方向に延びる傾斜を備え、
前記突出部は、前記第１の平面および前記第２の平面に対して、前記回転可能カムが前記第１の回転位置にある場合、前記傾斜の上に延び、および、
前記突出部は、前記第１の平面および前記第２の平面に対して、前記回転可能カムが前記第２の回転位置にある場合、前記傾斜の下に延びる、
請求項３に記載の装置。
【請求項５】
前記突出部は、前記最下部シートの前記先行エッジを、前記媒体のシートのうちの追加的なシートが前記最下部シートの最上部に受けられる際、前記レジストレーション表面に対して維持する、請求項１に記載の装置。
【請求項６】
前記回転可能カムと接続されるバイアス部材をさらに含み、
前記バイアス部材は、前記回転可能カムを前記第１の回転位置に向ける、
請求項１に記載の装置。
【請求項７】
前記コンパイル表面に隣接するホチキスをさらに含み、
前記ホチキスは、前記コンパイル表面から前記媒体のシートを排出する、
請求項１に記載の装置。
【請求項８】
媒体のシートを受けるコンパイル表面であって、前記コンパイル表面は、第１の端部と、前記第１の端部の反対側の第２の端部を有し、前記コンパイル表面に供給される媒体のシートのセットの第１のシートは最下部シートを備える、コンパイル表面と、
前記コンパイル表面の前記第１の端部に配置されるレジストレーション表面であって、前記レジストレーション表面は、前記コンパイル表面に対してほぼ垂直であり、前記媒体のシートの先行エッジは前記レジストレーション表面と接触し、前記レジストレーション表面により整列される、レジストレーション表面と、
前記コンパイル表面の前記第２の端部に配置される回転可能カムであって、前記回転可能カムは、第１の突出部および第２の突出部を備え、前記第１の突出部および前記第２の突出部の表面は、前記コンパイル表面の摩擦係数の少なくとも２倍の摩擦係数を有する、回転可能カムと、
前記回転可能カムと接続される駆動リンクと、
を備える装置であって、
前記回転可能カム第１回転位置から第二回転位置に回転させる前記駆動装置により前記第２の突出部が、前記媒体のシートを、前記媒体のシートが前記コンパイル表面から排出される際、前記コンパイル表面から外して駆動させる、
装置。
【請求項９】
前記媒体のシートを前記コンパイル表面に供給するシートフィーダをさらに備え、
前記シートフィーダは、前記コンパイル表面と関連して配置され、前記最下部シートが、前記回転可能カムが前記第１の回転位置にある場合、前記シートフィーダが前記最下部シートを前記コンパイル表面に供給する際、前記第１の突出部との接触を回避させる、
請求項８に記載の装置。
【請求項１０】
前記媒体のシートが前記コンパイル表面から排出される際、前記媒体のシートを受ける昇降プラットフォームをさらに備え、
前記最下部シートは、前記コンパイル表面から排出される前記媒体のシートより前に起こるシートスタック動作中、前記コンパイル表面および前記昇降プラットフォームと同時に接触し、および、
前記昇降プラットフォームは、前記コンパイル表面と関連して配置され、前記最下部シートが、前記シートスタック動作中、前記第１の突出部と接触させる、
請求項８に記載の装置。
【請求項１１】
前記コンパイル表面の前記第１の端部は第１の平面に配置され、
前記昇降プラットフォームは、前記第１の平面と平行な第２の平面に配置され、
前記第１の平面は前記第２の平面と同一平面上になく、前記第１の平面は相対的に前記第２の平面の上にあり、
前記コンパイル表面の前記第２の端部は、前記第１の平面から前記第２の平面へ向かう方向に延びる傾斜を備え、
前記第１の突出部は、前記第１の平面および前記第２の平面に対して、前記回転可能カムが前記第１の回転位置にある場合、前記傾斜の上に延び、および、
前記第１の突出部は、前記第１の平面および前記第２の平面に対して、前記回転可能カムが前記第２の回転位置にある場合、前記傾斜の下に延びる、
請求項１０に記載の装置。
【請求項１２】
前記第１の突出部は、前記最下部シートの前記先行エッジを、前記媒体のシートのうちの追加的なシートが前記最下部シートの最上部に受けられる際、前記レジストレーション表面に対して維持する、請求項８に記載の装置。
【請求項１３】
前記回転可能カムと接続されるバイアス部材をさらに含み、
前記バイアス部材は、前記回転可能カムを前記第１の回転位置に向ける、
請求項８に記載の装置。
【請求項１４】
前記コンパイル表面に隣接するホチキスをさらに含み、
前記ホチキスは、前記コンパイル表面から前記媒体のシートを排出する、
請求項８に記載の装置。
【請求項１５】
媒体のシートを受けるコンパイル表面であって、前記コンパイル表面は、第１の端部と、前記第１の端部の反対側の第２の端部を有し、前記コンパイル表面に供給される媒体のシートのセットの第１のシートは最下部シートを備える、コンパイル表面と、
前記コンパイル表面の前記第１の端部に配置されるレジストレーション表面であって、前記レジストレーション表面は、前記コンパイル表面に対してほぼ垂直であり、前記媒体のシートの先行エッジは前記レジストレーション表面と接触し、前記レジストレーション表面により整列される、レジストレーション表面と、
前記コンパイル表面の前記第２の端部に配置される回転可能カムであって、前記回転可能カムは、第１の突出部および第２の突出部を備え、前記第１の突出部および前記第２の突出部の表面は、前記コンパイル表面の摩擦係数の少なくとも２倍の摩擦係数を有する、回転可能カムと、
前記コンパイル表面と隣接する排出デバイスであって、前記排出デバイスは、後退位置から延出位置へ移動して、前記媒体のシートを前記コンパイル表面から押し出す、排出デバイスと、
前記排出デバイスおよび前記回転可能カムと接続される駆動リンクと、
を備える装置であって、
前記後退位置にある前記排出デバイスにより、前記駆動リンクが、前記回転可能カムを第１の回転位置に配置させ、
前記第１の回転位置にある前記回転可能カムにより、前記第１の突出部が、前記媒体のシートが前記コンパイル表面上に受けられる際、前記最下部シートと接触させ、
前記排出デバイスが前記後退位置から前記延出位置に移動することにより、前記駆動リンクが、前記回転可能カムを第２の回転位置まで回転させ、および、
前記回転可能カムの前記第１の回転位置から前記第２の回転位置までの回転により、前記第２の突出器が、前記媒体のシートを、前記媒体のシートが前記コンパイル表面から排出される際、前記コンパイル表面から外して駆動させる、
装置。
【請求項１６】
前記媒体のシートを前記コンパイル表面に供給するシートフィーダをさらに備え、
前記シートフィーダは、前記コンパイル表面と関連して配置され、前記最下部シートが、前記回転可能カムが前記第１の回転位置にある場合、前記シートフィーダが前記最下部シートを前記コンパイル表面に供給する際、前記第１の突出部との接触を回避させる、
請求項１５に記載の装置。
【請求項１７】
前記媒体のシートが前記コンパイル表面から排出される際、前記媒体のシートを受ける昇降プラットフォームをさらに備え、
前記最下部シートは、前記コンパイル表面から排出される前記媒体のシートより前に起こるシートスタック動作中、前記コンパイル表面および前記昇降プラットフォームと同時に接触し、および、
前記昇降プラットフォームは、前記コンパイル表面と関連して配置され、前記最下部シートが、前記シートスタック動作中、前記第１の突出部と接触させる、
請求項１５に記載の装置。
【請求項１８】
前記コンパイル表面の前記第１の端部は第１の平面に配置され、
前記昇降プラットフォームは、前記第１の平面と平行な第２の平面に配置され、
前記第１の平面は前記第２の平面と同一平面上になく、前記第１の平面は相対的に前記第２の平面の上にあり、
前記コンパイル表面の前記第２の端部は、前記第１の平面から前記第２の平面へ向かう方向に延びる傾斜を備え、
前記第１の突出部は、前記第１の平面および前記第２の平面に対して、前記回転可能カムが前記第１の回転位置にある場合、前記傾斜の上に延び、および、
前記第１の突出部は、前記第１の平面および前記第２の平面に対して、前記回転可能カムが前記第２の回転位置にある場合、前記傾斜の下に延びる、
請求項１７に記載の装置。
【請求項１９】
前記第１の突出部は、前記最下部シートの前記先行エッジを、前記媒体のシートのうちの追加的なシートが前記最下部シートの最上部に受けられる際、前記レジストレーション表面に対して維持する、請求項１５に記載の装置。
【請求項２０】
前記回転可能カムと接続されるバイアス部材をさらに含み、
前記バイアス部材は、前記回転可能カムを前記第１の回転位置に向ける、
請求項１５に記載の装置。